(57)【要約】【課題】ランドセルが子供の背中から垂れ下がらないように構成するランドセルの背環を提供すること。【解決手段】ランドセルの背環１２は、背環本体１３から上方に突出する揺動可能な一対の揺動板１４と、肩ベルト５の一端を係止する連結環１５とを備えている。連結環１５の斜軸部１５ｂには、肩ベルト５側に突出する突出部１７を形成するとともに、突出部１７の外側において、肩ベルト５の端部どうしを鋲１９で止着している。そして、連結環１５の下軸部１５ａを楕円状に形成するとともに、揺動板１４の上部に挿入孔部１４１を楕円状に形成する。そして、連結環１５を揺動板１４の挿入孔部１４１に挿入して、背環１と肩ベルト５とを連結することによって、肩ベルト５をランドセルの前後方向への回動を規制する。【選択図】図２
0003108235.tif 000002
【実用新案登録請求の範囲】
【請求項１】
ランドセルの背あて部の上部に配置されて肩ベルトの一端を支持するランドセルの背環であって、
前記肩ベルトの一端には連結環が装着されるとともに、前記連結環は背環本体に配設された連結環受け部材に連結され、
前記肩ベルトと前記連結環とは、前記肩ベルトが前記連結環に対して倒れることを防止する、倒れ防止手段で連結されるとともに、前記肩ベルトは前記連結環との装着部位より上方の位置において鋲手段で止着されていることを特徴とするランドセルの背環。
【請求項２】
前記連結環と前記連結環受け部材とは、それぞれ、前記連結環が前記連結環受け部材に対して回動防止される、断面倒れ防止形状を有して連結されていることを特徴とする請求項１記載のランドセルの背環。
【請求項３】
前記倒れ防止手段が、前記連結環における前記肩ベルトの一端と連結される部位において、前記肩ベルト側に突出するクランク状の突出部であることを特徴とする請求項１又は２記載のランドセルの背環。
【請求項４】
前記突出部の両側軸部が前記肩ベルトの幅方向の端縁部付近に配置されていることを特徴とする請求項３記載のランドセルの背環。
【請求項５】
前記連結環が有する前記断面倒れ防止形状が、楕円状の断面形状であることを特徴とする請求項２記載のランドセルの背環。
【請求項６】
前記連結環が有する前記断面倒れ防止形状が、矩形状の断面形状であることを特徴とする請求項２記載のランドセルの背環。
【請求項７】
前記連結環受け部材には、前記連結環の一辺を挿通する挿入孔部が形成され、前記挿入孔部が有する前記断面倒れ防止形状が、楕円状の断面形状であることを特徴とする請求項５又は６記載のランドセルの背環。
【請求項８】
前記連結環受け部材には、前記連結環の一辺を挿通する挿入孔部が形成され、前記挿入孔部が有する前記断面倒れ防止形状が、矩形状の断面形状であることを特徴とする請求項５又は６記載のランドセルの背環。
【請求項９】
前記連結環受け部材が前記背環本体の表面方向に沿って揺動可能に配置されていることを特徴とする請求項１乃至請求項８のいずれかに記載のランドセルの背環。
【考案の詳細な説明】
【技術分野】
【０００１】
本考案は、ランドセルの背あて部の上部に配置される背環に関し、さらに、肩ベルトの一端を支持するランドセルの背環に関する。
【背景技術】
【０００２】
子供がランドセルを背負って歩行する際、ランドセルには本やノートの重量で、ランドセルの上部が後方に移動して子供の背中から次第に垂れ下がってくることがあった。垂れ下がったランドセルは、子供の腰部辺りを中心にして後方に移動するから、歩行している子供には負担となり、ランドセルの背負いを嫌がるようになっていた。
【０００３】
これを解決するために、従来では、特許文献１に示すような改良がなされていた。これによると、図１０に示すように、背環４２は、背環本体４３の上部からそれぞれ揺動可能に構成された一対の揺動板４４、４４を挿入している。それぞれの揺動板４４、４４には略三角状の連結環４５、４５が装着され、連結環４５、４５に肩ベルト４６、４６の一端が係止されている。
【０００４】
連結環４５は、揺動板４４との連結部において、揺動板４４の上部に形成された円筒状の挿入部４４１に両側から挿入できるように真円状に形成されるとともに、連結環４５が揺動板４４に対して回動規制されるように構成されている。
【０００５】
つまり、揺動板の４４上部をＬ字状に形成するとともに、連結環４５の連結部をＬ字状に形成された揺動板４４の上部両端で挿入支持することによって、連結環４５の、揺動板４４に対するランドセルの前後方向への回動を規制していた。さらに、連結環４５の肩ベルト係止部４５１側においては、連結環４５の一部を肩ベルト４６側に逆Ｖ字状に突出する突出部４７を形成し、肩ベルト４６の端部において、逆Ｖ字状の突出部４７内に鋲４８で止着することによって、肩ベルト４６の、連結環４５に対するランドセルの前後方向への回動を規制していた。
【０００６】
これによって、肩ベルト４６は、背環４２に対してランドセルの前後方向への回動を規制されることから、ランドセル本体は、常に、子供の背中側に密着することとなって、ランドセルの垂れ下がりを防止することができていた。
【特許文献１】特許第３５２４５４７号公報（２〜３頁、図１参照）
【考案の開示】
【考案が解決しようとする課題】
【０００７】
しかし、特許文献１のランドセルは、ランドセルの垂れ下がりを防止できる構成になっているものの、揺動板４４の上部をＬ字状に形成して、その部位に連結環４５の挿入支持部を形成することからコストがかかることとなっていた。
【０００８】
また、連結環４５と肩ベルト４６との連結部位における逆Ｖ字状の突出部４７内の狭い位置で鋲４８止めすることは、鋲４８止めする位置の精度を高くすることとなって、肩ベルト４６を連結環４５に装着する際の作業時間に、手間を掛けることとなっていた。つまり、逆Ｖ字状の突出部４７では、その内部に鋲４８を打込む際、肩ベルト４６に形成された鋲４８の貫通孔が位置ずれしていると、鋲が連結環４５の軸部と干渉して打ち込めない状態を生じてしまう。そのため、肩ベルト４６の一端を連結環４５の軸部で折り返すときに、鋲４８の貫通孔の位置を、いちいち確認しなければならないので余分な手間となっていた。そのため、さらにコストの増大となっていた。
【課題を解決するための手段】
【０００９】
本考案は、上述の課題を解決するものであり、組付の際の作業時間を少なくして廉価なコストで製作でき、しかも垂れ下がりのないように構成するランドセルの背環を提供することを目的とするものであり、そのために本考案に係るランドセルの背環は、以下のように構成するものである。すなわち、
請求項１記載の考案では、ランドセルの背あて部の上部に配置されて肩ベルトの一端を支持するランドセルの背環であって、
前記肩ベルトの一端には連結環が装着されるとともに、前記連結環は背環本体に配設された連結環受け部材に連結され、
前記肩ベルトと前記連結環とは、前記肩ベルトが前記連結環に対して倒れることを防止する、倒れ防止手段で連結されるとともに、前記肩ベルトは前記連結環との装着部位より上方の位置において鋲手段で止着されていることを特徴とするものである。
【００１０】
請求項２記載の考案では、前記連結環と前記連結環受け部材とは、それぞれ、前記連結環が前記連結環受け部材に対して回動防止される、断面倒れ防止形状を有して連結されていることを特徴としている。
【００１１】
請求項３記載の考案では、前記倒れ防止手段が、前記連結環における前記肩ベルトの一端と連結される部位において、前記肩ベルト側に突出するクランク状の突出部であることを特徴としている。
【００１２】
請求項４記載の考案では、前記突出部の両側軸部が前記肩ベルトの幅方向の端縁部付近に配置されていることを特徴としている。
【００１３】
請求項５記載の考案では、前記連結環が有する前記断面倒れ防止形状が、楕円状の断面形状であることを特徴としている。
【００１４】
請求項６記載の考案では、前記連結環が有する前記断面倒れ防止形状が、矩形状の断面形状であることを特徴としている。
【００１５】
請求項７記載の考案では、前記連結環受け部材には、前記連結環の一辺を挿通する挿入孔部が形成され、前記挿入孔部が有する前記断面倒れ防止形状が、楕円状の断面形状であることを特徴としている。
【００１６】
請求項８記載の考案では、前記連結環受け部材には、前記連結環の一辺を挿通する挿入孔部が形成され、前記挿入孔部が有する前記断面倒れ防止形状が、矩形状の断面形状であることを特徴としている。
【００１７】
請求項９記載の考案では、前記連結環受け部材が前記背環本体の表面方向に沿って揺動可能に配置されていることを特徴としている。
【考案の効果】
【００１８】
本考案に係るランドセルの背環では、請求項１記載の考案によれば、肩ベルトの一端と連結環とは、連結環の一部に形成された倒れ防止手段で連結されていることから、連結環に対する回動が規制されることとなる。しかも、肩ベルトを連結環の軸部に折り返しても、鋲手段の位置が連結環との装着部位より上方にあることから、鋲の取付作業を容易にすることができ、鋲位置の確認作業という余分な手間を掛けずに、肩ベルトの連結環への組付作業を行うことができることとなる。
【００１９】
請求項２記載の考案によれば、ランドセルの背あて部の上部に配置された背環本体から上方に向かって装着された連結環受け部材と、肩ベルトの一端を支持する連結環とは、連結環が連結環受け部材に対して倒れないように、それぞれ断面倒れ防止形状に形成されている。連結環が連結環受け部材に対して倒れないように支持されていることは、連結環に連結された肩ベルトが倒れないことになり、その結果、ランドセルは子供の背中側に密着して配置されることとなって、後方に倒れて垂れ下がることを防止することができる。
【００２０】
請求項３記載の考案によれば、連結環と肩ベルトとの倒れ防止手段が、連結環の軸部に形成された前記肩ベルト側に突出するクランク状の突出部であることから、クランク状の突出部は肩ベルトに対して、集中的な負荷を掛けずに支持することができ、肩ベルトの早期な損傷を防止できる。
【００２１】
請求項４記載の考案によれば、前記突出部の両側軸部が前記肩ベルトの幅方向の端縁部付近に配置されていることから、肩ベルトの幅方向に対して広い範囲で支持することができる。そのため、肩ベルトの倒れを小さい負荷で受けることができ、肩ベルトの連結環との間で起こり得る損傷を少なくすることができる。
【００２２】
請求項５乃至８記載の考案では、請求項３記載の考案による断面倒れ防止形状を、請求項５又は７記載の考案による楕円形状に形成したり、また、請求項６又は８記載の考案による矩形状にしたりすることによって、連結環が連結環受け部材に対して、ランドセルの前後方向への倒れを防止することができる。
【００２３】
請求項９記載の考案によれば、請求項１乃至７記載の連結環受け部材が、背環本体の表面方向に沿って揺動可能に配置されていれば、身体の大きさ（肩幅）の異なる子供であっても、一対の肩ベルトを子供の肩幅に合わせて自動的に広げたり狭めたりすることができる。
【考案を実施するための最良の形態】
【００２４】
本考案による一形態のランドセルの背環を図面に基づいて説明する。
【００２５】
図１に示すように、ランドセル１は、ランドセル本体１０と一対の肩ベルト５、５を有して構成されている。ランドセル本体１０の背あて部１１の上部には、背環１２が配置され、一対の肩ベルト５、５の一端が装着されている。
【００２６】
背環１２は、図２に示すように、上部に一対の開口部１３１、１３１を有して中空状に形成された背環本体１３と、背環本体１３の各開口部１３１、１３１から背環本体１３内に挿入して配置される連結環受け部材としての一対の揺動板１４、１４と、揺動板１４、１４の上部に係止される連結環１５、１５と、一対の揺動板１４、１４間に装着される吊下環１６とを備えて構成されている。
【００２７】
揺動板１４は、図２に示すように、下部を背環本体１３に軸支して配置され、図示しないばね部材で、一対の揺動板１４、１４がお互いに近づける方向に付勢されている。各揺動板１４の上部には、図３〜４に示すように、連結環１５の軸部を挿入する挿入孔部１４１が形成されている。挿入孔部１４１は縦方向が長尺の楕円状孔部を形成している。なお、楕円状孔部とは、対向する長尺方向又は短尺方向の円弧の曲率半径の大きさに限定するものではなく、例えば、長尺方向又は短尺方向のうち一方の方向の円弧の曲率半径が略無限、つまり、直線又は略直線に形成する長円状の挿入孔部をも含むものとする。
【００２８】
一方、連結環１５は、揺動板１４との連結部位における下軸部１５ａと、肩ベルト５との連結部位における斜軸部１５ｂと、下軸部１５ａと斜軸部１５ｂとを連結する短軸部１５ｃとから形成され、斜軸部１５ｂには、斜軸部１５ｂから肩ベルト５側に突出する突出部１７が形成されている。
【００２９】
突出部１７は、斜軸部１５ｂから立ち上がる両側軸部１７１、１７２と両側軸部１７１、１７２とを直交して連結する連結軸部１７３とを有してクランク状に形成されている。両側軸部１７１、１７２は、肩ベルト５の略幅方向の端部付近まで達し、幅広に形成されている。また、連結軸部１７３より外側の位置において、つまり、連結軸部１７３に対して斜軸部１５ｂと反対の肩ベルト５側において、肩ベルト５の端部を連結環１５の斜軸部１５ｂに巻装した状態で、肩ベルト５の端部どうしが鋲１９で固着されている。
【００３０】
また、連結環１５の軸部（下軸部１５ａ、斜軸部１５ｂ、短軸部１５ｃ）は、揺動板１４の挿入孔部１４１と略同一の断面楕円状に形成され、下軸部１５ａが、両端部の挿入部１５１、１５１を残して開口されている。そのため、連結環１５の軸部を揺動板１４の挿入孔部１４１に挿入する際、連結環１５は、揺動板１４の挿入孔部１４１の両側から下軸部１５ａの挿入部１５１、１５１を開きながら、挿入孔部１４１に挿入することとなる。
【００３１】
従って、肩ベルト５と連結環１５とは連結環１５に形成された突出部１７によって、肩ベルト５が連結環１５に対する回動が規制され、また、揺動板１４と連結環１５とは、お互いに楕円状の連結部位で係合することとなるから、連結環１５は、ランドセル１に対する前後方向（図４における左右方向）への回動が規制されることとなる。
【００３２】
上記のように、揺動板１４は、子供がランドセル１を背負う際には、子供の肩幅に合わせて左右方向に広がるとともに、肩ベルト５の前方方向の倒れを規制することとなる。
【００３３】
なお、連結環１５の軸部と揺動板１４の挿入孔部１４１との係合状態は、きつく係合されていてもよく、また緩い遊嵌状に係合されていてもよい。
【００３４】
また、連結環１５の軸部の断面形状は、下軸部１５ａだけが楕円状に形成され、他の軸部が真円状でもよい。また、連結環１５の軸部の断面形状が、揺動板１４の挿入孔部１４１におけるランドセル１の前後方向への回動を規制するものであれば、上記に限らず、別の形状をなすものであってもよい。
【００３５】
例えば、図５に示す連結環１５Ａの軸部の断面形状は、真円状でキー溝１５２を形成している。この連結環１５Ａの軸部に係合する揺動板１４Ａの挿入孔部１４１Ａも真円状でキー溝１４２を形成している。そして、連結環１５Ａのキー溝１５２と、揺動板１４Ａの挿入孔部１４１Ａとにはキー部材１８が挿入される。なお、いずれのキー溝１４２、１５２も、対向する周縁部に形成してもよく、一方の周縁部だけに形成してもよい。
【００３６】
また、図６に示す連結環１５Ｂの軸部の断面形状は、矩形状を形成している。この連結環１５Ｂの軸部に係合する揺動板１４Ｂの挿入孔部１４１Ｂも矩形状を形成している。なお、矩形状とは、縦方向または横方向のいずれが長尺に形成しても構わなく、また、勿論、正方形も含むものである。さらに、矩形状以外に、四角形を除く多角形であってもよい。
【００３７】
図７に示す連結環１５Ｃの軸部の断面形状は、図６に示す連結環１５Ｂの矩形状から長辺軸部の中央部に凹部１５３を形成している。なお、凹部１５３を短辺軸部の中央部に形成してもよい。凹部１５３の形状は、半円状でも、矩形状でもよく、また三角状でもよい。さらに、多数の歯部を有する歯状に形成されてもよい。この連結環１５Ｃの軸部に係合する揺動板１４Ｃの挿入孔部１４１Ｃは、図６に示す揺動板１４Ｂの挿入孔部１４１Ｂと同様、矩形状を形成している。
【００３８】
図８は、別の形態の背環２２を示すものである。背環２２は、ランドセル１（図１参照）の背あて部１１の上部に配置され、背あて部１１に固着して横方向に長尺に形成された背環本体２３と、背環本体２３の横方向に配置する一対の連結環受け部材２４と、一対の連結環受け部材２４に連結する連結環２５とを備えている。一対の連結環受け部材２４は、背環本体２３から子供の背中側に向かって突出して背環本体２３と一体的に形成されるとともに、連結環２５の下軸部２５ａを挿入する挿入孔部２４１を有している。連結環２５別の一辺の斜軸部２５ｂには、肩ベルト５の一端が係止されている。さらに、背環本体２３の中央部には、上方から挿入される吊下環２６が配置されている。
【００３９】
この形態の背環２２においても、連結環２５の斜軸部２５ｂは、前述の形態と同様、両側軸部２７１、２７２と、両側軸部２７１、２７２を連結する連結軸部２７３とを有して幅広のクランク状の突出部２７が形成されるとともに、連結環２５の斜軸部２５ｂの外側で肩ベルト５の端部どうしが鋲２９で止着されている。また、連結環受け部材２４の挿入孔部２４１とは、図３に示す楕円状、図５に示すキー溝を有する真円状、図６に示す矩形状、あるいは、図７に示すように、矩形状軸部に凹部を形成した形状の連結環１５（１５Ａ、１５Ｂ、１５Ｃ）を適用することができる。
【００４０】
次に、上記のように構成された背環１２を有するランドセル１の作用について説明する。
【００４１】
ランドセル１を背負わない自然状態では、背環１２の揺動板１４は、背環１２内に配置されているばね部材の付勢力によって、一対の揺動板１４、１４が最接近した状態にある。
【００４２】
成長した子供がランドセル１を背負うと、揺動板１４は、お互いに離れる方向に広がるとともに、図９に示すように、ランドセル１が子供の背中に接近した状態に配置される。ランドセル１を背負った子供の歩行中、肩ベルト５は、振動で揺られて子供の肩を前後方向に摺動しようとする。
【００４３】
一方、肩ベルト５の一端を係止する連結環１５は、肩ベルト５との間で連結環１５の突出部１７によって、連結環１５に対してランドセル１の前後方向に対して回動を規制され、また、揺動板１４との間で断面倒れ防止形状で揺動板１４に対してランドセル１の前後方向に対して回動を規制されていることから、肩ベルト５の端部と、揺動板１４及び連結環１５とは、背環本体１３に対して上方に突出して略固定した状態となっている。
【００４４】
従って、ランドセル本体１０は、上部を後方に移動することができず、垂れ下がらない。そのため、ランドセル１は子供の背中に密着した状態で子供に背負われていることとなる。
【００４５】
上述のように、実施形態のランドセル１の背環１２は、肩ベルト５が背環１２に対して、ランドセル１の前後方向に対して、回動規制するように構成されていることから、子供は、歩行中であってもランドセル１を気楽に背負うことができる。しかも、肩ベルト５側に突出する連結環１５の突出部１７は、肩ベルト５の幅方向に対して幅広のクランク状に形成されていることから、肩ベルト５と連結環１５との係合状態は安定しており、肩ベルト５を損傷させない。さらに、肩ベルト５の端部が、連結環１５の外側で鋲１９によって止着されていることから肩ベルト５を連結環に装着する組付作用を、手間を掛けずに容易に行うことができる。そのため、コストの低減化を図ることができる。
【図面の簡単な説明】
【００４６】
【図１】本考案による一形態のランドセルを示す斜視図である。
【図２】図１のランドセルにおける背環を示す正面図である。
【図３】図１のランドセルの背環における連結環と揺動板を示す分解斜視図である。
【図４】同一部断面図である。
【図５】図１のランドセルの背環における別の形態の連結環と揺動板との連結部位を示す一部断面図である。
【図６】図１のランドセルの背環における別の形態の連結環と揺動板との連結部位を示す一部断面図である。
【図７】図１のランドセルの背環におけるさらに別の形態の連結環と揺動板との連結部位を示す一部断面図である。
【図８】別の形態の背環であって連結環との連結部位を示す斜視図である。
【図９】子供がランドセルを背負った状態を示す側面図である。
【図１０】従来のランドセルの背環を示す背面図である。
【符号の説明】
【００４７】
１、ランドセル
５、肩ベルト
１０、ランドセル本体
１１、背あて部
１２、背環
１３、背環本体
１４、揺動板
１４１、挿入孔部
１５、連結環
１５ａ、下軸部
１５ｂ、斜軸部
１５ｃ、短軸部
１７、突出部
１７３、連結軸部
１９、鋲
２４、連結環受け部材
２５、連結環
【図１】
0003108235.tif 000003
【図２】
0003108235.tif 000004
【図３】
0003108235.tif 000005
【図４】
0003108235.tif 000006
【図５】
0003108235.tif 000007
【図６】
0003108235.tif 000008
【図７】
0003108235.tif 000009
【図８】
0003108235.tif 000010
【図９】
0003108235.tif 000011
【図１０】
0003108235.tif 000012